(57)【要約】      （修正有）【課題】プラグ接点の酸化物を、プラグ形状に合ったヤスリを挿入し回転させることにより、部品を壊したり、研磨し過ぎたりすることなく、簡単に酸化物を取り除け部品本来の性能を引き出す事ができるヤスリの提供。【解決手段】各ヤスリの接点の形状をプラグのオスまたはメスと同じ形状にすることによって、適切にプラグの接点の酸化した表面を均等に研磨する。Ａは、硬質砥粒を固着させたもの、又はサンドペーパー、Ｂは、硬質砥粒を固着させたもの、又はサンドペーパーが挿入・回転させた時にひっかかり、部品内部で脱落しない為の高さ調節をする為の段、Ｃは、各プラグの形状に合わせ、プラスチック等適宣素材で形取った硬質砥粒又はサンドペーパーを装着する土台。【選択図】図５
0003112915.tif 000002
【実用新案登録請求の範囲】
【請求項１】
ピンジャック（オス形状）モノラル・ステレオともに、標準・ミニ(3.5φ)・超ミニ(2.5φ)に直接“硬質砥粒”を固着、又は輪状のゴムに“硬質砥粒”を固着したものを装着、又は薄いウレタンや高反発力のあるスポンジに“硬質砥粒”を固着したものを１回転又は螺旋状に装着、又はサンドペーパーを直接ピンジャックに１回転又は螺旋状に装着し、ピンジャック（メス）側の内部の接点に付着した錆を除去する為のヤスリ。
【請求項２】
ウレタンや高反発力のあるスポンジ筒内部の形状が、ピンジャック（オス形状）モノラル・ステレオともに、標準・ミニ(3.5φ)・超ミニ(2.5φ)の物に直接、“硬質砥粒”を固着又はサンドペーパーを縦帯状に接着し、ピンジャック（オス）側の表面の接点に付着した錆を除去する為のヤスリ。
【請求項３】
ピンプラグ（オス形状）の中心にある突起部に直接“硬質砥粒”を固着、又は輪状のゴムに“硬質砥粒”を固着したものを装着、又は薄いウレタンや高反発力のあるスポンジに“硬質砥粒”を固着したものを１回転又は螺旋状に装着、又はサンドペーパーを直接突起部に１回転又は螺旋状に装着。側面内側にも同様に直接“硬質砥粒”を固着、又は薄いウレタンや高反発力のあるスポンジに“硬質砥粒”を固着したものを１回転又は縦帯状（図３参照）に装着、又は直接サンドペーパーを１回転又は縦帯状に側面内側に装着し、ピンプラグ（メス）側の側面及び、中心にある穴内部の接点に付着した錆を除去する為のヤスリ。
【請求項４】
ピンプラグ（メス形状）の側面に、直接“硬質砥粒”を固着、又は輪状のゴムに“硬質砥粒”を固着したものを装着、又は薄いウレタンや高反発力のあるスポンジに“硬質砥粒”を固着したものを１回転又は螺旋状に装着、又はサンドペーパーを直接側面に１回転又は螺旋状に装着。内側の穴にも同様に、直接“硬質砥粒”を固着、又は薄いウレタンや高反発力のあるスポンジに“硬質砥粒”を固着したものを装着、又は薄いウレタンや高反発力のあるスポンジにサンドペーパーを１回転又は縦帯状（図４参照）に接着した物を内側の穴に装着し、ピンプラグ（オス）側の中心にあるピン及び、側面内側の接点に付着した錆を除去する為のヤスリ。
【請求項５】
ACアダプタープラグ（オス形状）の側面に、直接“硬質砥粒”を固着、又は輪状のゴムに“硬質砥粒”を固着したものを装着、又は薄いウレタンや高反発力のあるスポンジに“硬質砥粒” を固着したものを１回転又は螺旋状に装着、又はサンドペーパーを直接側面に１回転又は螺旋状に装着。内側の穴にも同様に、直接“硬質砥粒”を固着、又は薄いウレタンや高反発力のあるスポンジに“硬質砥粒”を固着したものを装着、又は薄いウレタンや高反発力のあるスポンジにサンドペーパーを１回転又は縦帯状（図５参照）に接着した物を内側の穴に装着し、ACアダプター（メス）側の中心にあるピン及び、オス側面に接する接点に付着した錆を除去する為のヤスリ。
【請求項６】
ACアダプタープラグ（メス形状）の内側側面に、直接“硬質砥粒”を固着、又は薄いウレタンや高反発力のあるスポンジに“硬質砥粒” を固着したものを装着、又は薄いウレタンや高反発力のあるスポンジにサンドペーパーを直接側面内側に１回転又は縦帯状（図５参照）に接着した物を装着。中心にあるピンにも同様に、直接“硬質砥粒”を固着、又は輪状のゴムに“硬質砥粒”を固着したものを装着、又は薄いウレタンや高反発力のあるスポンジに“硬質砥粒”を固着したものを１回転又は螺旋状に装着、又はサンドペーパーを直接ピンに１回転又は螺旋状に装着しACアダプター（オス）側の中心にある穴内部及び、側面に付着した錆を除去する為のヤスリ。
【請求項７】
各ヤスリを回転させやすくする為に、十字形のグリップの先端にヤスリを装着する。
装着方法はネジ式や六角形のソケット式又は接着等。
【考案の詳細な説明】
【技術分野】
【０００１】
本考案は、ＡＣ製品や電気楽器などに多く使われている、ピンジャック・ピンプラグ・ＡＣアダプターの各オス・メスの接点に付着した酸化物を簡単に除去するものである。
【背景技術】
【０００２】
各部品は簡単にサンドペーパーがかけにくい形状をしており、酸化が激しい場合にはメーカーへの部品交換修理依頼をしなければ使えなかった。
【考案の開示】
【考案が解決しようとする課題】
【０００３】
修理をする為、ショップへ修理依頼→メーカーで部品交換と経済的、時間的負担がある。従って部品構造を知らない方でも、簡単に修理する事ができ、無駄な出費や時間及び資源の無駄遣いを解決しようとするものである。
【課題を解決するための手段】
【０００４】
本考案は、酸化した部品形状に合わせたヤスリを装着し、回転させる事によりヤスリで酸化した部分を磨く事ができ、酸化による接触不良を解決している。
【考案の効果】
【０００５】
上述[０００３]の様に、部品自体を交換せずに、再利用できる様になる為、資源の無駄遣い・ゴミの排出を防ぐ事ができる。
【考案を実施するための最良の形態】
【０００６】
各ヤスリの接点の形状をプラグのオスまたはメスと同じ形状にすることによって、適切にプラグの接点の酸化した表面を均等に研磨する事ができる。
【実施例】
【０００７】
以下、添付図面に従って一実施例を説明する。グリップは耐久性のプラスチック等適宣素材にて、ヤスリ部を装着し回転させ易い十字形状をしている。十字の各先端とヤスリ（オス・メス）部をネジ式や六角形のソケット式又は接着にて対に装着。
【図面の簡単な説明】
【０００８】
【図１】ピンジャックメス用ヤスリの側面図と断面図
【図２】ピンジャックオス用ヤスリの側面図と断面図
【図３】ピンプラグメス用ヤスリの斜め上から見た図と断面図
【図４】ピンプラグオス用ヤスリの斜め上から見た図と断面図
【図５】ＡＣアダプタープラグメス用ヤスリの斜め上から見た図と断面図
【図６】ＡＣアダプタープラグオス用ヤスリの斜め上から見た図と断面図
【図７】ヤスリ部を取り付けるグリップの斜め上から見た図
【符号の説明】
【０００９】
Ａ  硬質砥粒を固着させたもの、又はサンドペーパー。
Ｂ  硬質砥粒を固着させたもの、又はサンドペーパーが挿入・回転させた時にひっかかり、部品内部で脱落しない為の高さ調節をする為の段。
Ｃ  各プラグの形状に合わせ、プラスチック等適宣素材で形取った硬質砥粒又はサンドペーパーを装着する土台。
（１）サンドペーパーを巻きつける場合のみの形状。平らにすること。
（２）各ヤスリ部を装着する際にＢで述べたような脱落が起こらないようにする為本来の形状（メスプラグに対してはオスプラグの形状、オスプラグに対してはメスプラグの形状）の寸法を超えてはならない。
【図１】
0003112915.tif 000003
【図２】
0003112915.tif 000004
【図３】
0003112915.tif 000005
【図４】
0003112915.tif 000006
【図５】
0003112915.tif 000007
【図６】
0003112915.tif 000008
【図７】
0003112915.tif 000009
【手続補正書】
【提出日】平成17年5月20日(2005.5.20)
【手続補正１】
【補正対象書類名】実用新案登録請求の範囲
【補正対象項目名】全文
【補正方法】変更
【補正の内容】
【実用新案登録請求の範囲】
【請求項１】
ピンジャックのオス形状でモノラル・ステレオともに、サイズは標準・ミニ3.5φ・超ミニ2.5φの各サイズに合わせたピンジャックのオス形状に直接“硬質砥粒”を固着、又は輪状のゴムに“硬質砥粒”を固着したものを装着、又は薄いウレタンや高反発力のあるスポンジに“硬質砥粒”を固着したものを１回転又は螺旋状に装着、又はサンドペーパーを直接ピンジャックに１回転又は螺旋状に装着し、ピンジャックメス側の内部接点に付着した錆を除去する為のヤスリ。
【請求項２】
ウレタンや高反発力のあるスポンジ筒内部の形状が、ピンジャックのオス形状で、サイズは標準・ミニ3.5φ・超ミニ2.5φの各サイズに合わせた筒内部に直接、“硬質砥粒”を固着又はサンドペーパーを縦帯状に接着し、ピンジャックオス側の表面の接点に付着した錆を除去する為のヤスリ。
【請求項３】
ピンプラグのオス形状の中心にある突起部に直接“硬質砥粒”を固着、又は輪状のゴムに“硬質砥粒”を固着したものを装着、又は薄いウレタンや高反発力のあるスポンジに“硬質砥粒”を固着したものを１回転又は螺旋状に装着、又はサンドペーパーを直接突起部に１回転又は螺旋状に装着し側面内側にも同様に直接“硬質砥粒”を固着、又は薄いウレタンや高反発力のあるスポンジに“硬質砥粒”を固着したものを１回転又は縦帯状に装着又は直接サンドペーパーを１回転又は縦帯状に側面内側に装着しピンプラグメス側の側面及び中心にある穴内部の接点に付着した錆を除去する為のヤスリ。
【請求項４】
ピンプラグのメス形状の側面に、直接“硬質砥粒”を固着、又は輪状のゴムに“硬質砥粒”を固着したものを装着、又は薄いウレタンや高反発力のあるスポンジに“硬質砥粒”を固着したものを１回転又は螺旋状に装着、又はサンドペーパーを直接側面に１回転又は螺旋状に装着し内側の穴にも同様に、直接“硬質砥粒”を固着、又は薄いウレタンや高反発力のあるスポンジに“硬質砥粒”を固着したものを装着又は薄いウレタンや高反発力のあるスポンジにサンドペーパーを１回転又は縦帯状に接着した物を内側の穴に装着しピンプラグオス側の中心にあるピン及び、側面内側の接点に付着した錆を除去する為のヤスリ。
【請求項５】
ＡＣアダプタープラグのオス形状の側面に、直接“硬質砥粒”を固着、又は輪状のゴムに“硬質砥粒”を固着したものを装着、又は薄いウレタンや高反発力のあるスポンジに“硬質砥粒”を固着したものを１回転又は螺旋状に装着、又はサンドペーパーを直接側面に１回転又は螺旋状に装着し内側の穴にも同様に、直接“硬質砥粒”を固着、又は薄いウレタンや高反発力のあるスポンジに“硬質砥粒”を固着したものを装着又は薄いウレタンや高反発力のあるスポンジにサンドペーパーを１回転又は縦帯状に接着した物を内側の穴に装着しＡＣアダプターメス側の中心にあるピン及び、オス側面に接する接点に付着した錆を除去する為のヤスリ。
【請求項６】
ＡＣアダプタープラグのメス形状の内側側面に、直接“硬質砥粒”を固着、又は薄いウレタンや高反発力のあるスポンジに“硬質砥粒”を固着したものを装着、又は薄いウレタンや高反発力のあるスポンジにサンドペーパーを直接側面内側に１回転又は縦帯状に接着した物を装着し中心にあるピンにも同様に、直接“硬質砥粒”を固着、又は輪状のゴムに“硬質砥粒”を固着したものを装着、又は薄いウレタンや高反発力のあるスポンジに“硬質砥粒”を固着したものを１回転又は螺旋状に装着又はサンドペーパーを直接ピンに１回転又は螺旋状に装着しＡＣアダプターオス側の中心にある穴内部及び、側面に付着した錆を除去する為のヤスリ。
【請求項７】
請求項１〜６の各ヤスリを回転させやすくする為に、十字形のグリップの先端に請求項１〜６の各ヤスリを装着する物であり、装着方法はネジ式や多角形のソケット式又は請求項１〜６の各ヤスリの脱着機能を用いず接着固定し用いる請求項１〜６の各ヤスリを回転させやすくする為のグリップ。
【手続補正２】
【補正対象書類名】図面
【補正対象項目名】図７
【補正方法】変更
【補正の内容】
【図７】
0003112915.tif 000010